(57)【特許請求の範囲】
【請求項１】
水を貯留しながら発熱体で加熱して蒸気を発生させる蒸気発生容器を備え、発熱体を蒸気発生容器の貯留域に着脱自在に配置し、発熱体は、蒸気発生容器内を平面より見て、容量が小さく水の対流が抑制される第１加熱部と容量の大きい第２加熱部に仕切ると共に、一部連通させるものであることを特徴とする加湿器。
【請求項２】
発熱体は筒状であり、蒸気発生容器内でその内周側または外周側に位置する周壁との間に第１加熱部を形成し、他方の側に第２加熱部を形成している請求項１記載の加湿器。
【請求項３】
周壁は蒸気発生容器の中央部を上方に突出させた凸部をなし、この凸部で、発生した蒸気の外部への放出路に外気を導く外気導入路を形成すると共に、その下方に発熱素子冷却用のファンを共用する外気導入ファンを配置している請求項２記載の加湿器。
【請求項４】
水を貯留しながら発熱体で加熱して蒸気を発生させる蒸気発生容器を備え、発熱体を蒸気発生容器の内部の貯留域に着脱自在に配置し、発熱体は電磁誘導発熱体であり、蒸気発生容器の外部に発熱体に対向する電磁誘導用のワークコイルが配置されていることを特徴とする加湿器。
【発明の詳細な説明】
【０００１】
【発明の属する技術分野】
本発明は加湿器に関し、殊に、蒸気発生容器内に貯留された水を発熱体で加熱して蒸気を発生させ、その蒸気を外部に発散させることにより加湿を行う加湿器に関するものである。
【０００２】
【従来の技術】
この種の加湿器では、蒸気発生容器が浅いと加熱が進みやすく早期に蒸気が発生するが、貯留される水全体を発熱体によって一挙に加熱するため、水の濃縮化に伴い、スケールが蒸気発生容器内面に付着し溜まり易く実用に耐えない。そこで従来より、蒸気発生容器を深鍋形状に形成して大容量の水を加熱することによって容器内面にスケールが付着するようなことを抑えている。
【０００３】
【発明が解決しようとする課題】
ところが上記従来例の蒸気発生容器は、スケールの付着抑制のために大容量の水を貯留しながら加熱しているので、蒸気が発生するまでに時間がかかるという問題がある。
【０００４】
そこで、大容量の水を効率良く加熱するために、蒸気発生容器の貯留域に発熱体を配置して水を直接加熱することによって、早期加湿が行うことのできる水中ヒータ式の加湿器が先に提案されている。
【０００５】
この水中ヒータ式の加湿器は、ヒータの裏面の発熱が無駄にならないように、円盤状のヒータを蒸気発生容器の底面より支持体を介してやや浮いた状態で水中に配置している。ところがこの加湿器では、蒸気発生容器の底面からの蒸気による水泡がヒータ裏面で制止され、その分蒸気の発生がスムーズに行われないという問題がある。また、ヒータ裏面と蒸気発生容器の底面との間でスケールが付着してしまうという問題が再び発生する。特にその部位は手入れが不可能であるので不衛生になるという問題も生じる。
【０００６】
そこで本発明は、発熱体を蒸気発生容器の貯留域から着脱自在にすることで、水中ヒータによる加熱効率を維持した状態で手入れを容易にした加湿器を提供することを目的とする。
【０００７】
【課題を解決するための手段】
上記目的を達成するために本発明の加湿器は、水を貯留しながら発熱体で加熱して蒸気を発生させる蒸気発生容器を備え、発熱体を蒸気発生容器の貯留域に着脱自在に配置し、発熱体は、蒸気発生容器内を平面より見て、容量が小さく水の対流が抑制される第１加熱部と容量の大きい第２加熱部に仕切ると共に、一部連通させるものであることを主たる特徴とする。
【０００８】
本発明の上記主たる特徴によれば、蒸気発生容器内に貯留された水をその貯留域に配置された発熱体で効率良く直接加熱して効率良く昇温させ、発熱体表面のきわでは勿論、全体的にも蒸気を早期に発生させることができると共に、発熱体を蒸気発生容器から取外すことでスケールの付着し易い発熱体の表面でも発熱体を取外して丸洗いしてスケールを除去できると共に、蒸気発生容器の内面も発熱体の邪魔なしに簡単に洗浄できる。従って、早期加湿を満足した上で、溜まったスケールにより不衛生な状態になったり加熱効率が低下するのを防止することができる。
【０００９】
また第１加熱部では容量が小さいことと対流が抑制されていることとにより、水がより急速に昇温されると共に、その早期加熱された高温水が第２加熱部に移行するのを抑制されるので、早期に蒸気を発生させることができる。一方、第２加熱部では容量が大きいことによりスケールの発生なくゆっくりと昇温させ、第１加熱部よりは遅れるが蒸気を大量に発生させることができる。しかも、平面より見て各加熱部を仕切る構造上、発熱体は直立に形成されるので、円盤状の発熱体のようにその裏面と蒸気発生容器の底面との間でスケールが付着することもなく、また底面からの蒸気による水泡は制止されることなく真っ直ぐに水面に向かうので、蒸気の発生がスムーズに行われる。従って、スケールの発生を抑えながら早期加湿と十分な加湿を満足することができる。尚、第１加熱部と第２加熱部とを一部連通させるためには、発熱体に連通孔を設けたり発熱体の高さを蒸気発生容器内の水位より低く設定するように構成すると良い。
【００１０】
また第１加熱部と第２加熱部とを仕切る発熱体を筒状にし、蒸気発生容器内でその内周側または外周側に位置する周壁との間に第１加熱部を形成し、他方の側に第２加熱部を形成すれば、上述したような容量の小さな第１加熱部と容量の大きい第２加熱部とを容易に実現できる。
【００１１】
また前記周壁が蒸気発生容器の中央部を上方に突出させた凸部をなし、この凸部で、発生した蒸気の外部への放出路に外気を導く外気導入路を形成すると共に、その下方に発熱素子冷却用のファンを共用する外気導入ファンを配置すれば、凸部の内部空間を外気導入路として利用でき且つその部分にワークコイルやフェライトコア等を収納することもでき、その収納分あるいは発熱素子冷却用のファンを設置分、下部空間のコンパクト化を図ることができると共に、蒸気の放出路の周囲に外気を導入するための空間が不要になり、その空間を給水源容量として使用することにより器体のコンパクト化を図ることもできる。
【００１２】
また、前記発熱体を電磁誘導発熱体にし、蒸気発生容器の外部に発熱体に対向する電磁誘導用のワークコイルを配置すれば、通電タイプの発熱体のようにその着脱部位等を絶縁構造にする必要がないので、底面構造がシンプルで発熱体を取外しての洗浄がより容易になる。
【００１４】
【発明の実施例】
以下、本発明の加湿器を第１〜第４実施例に基づき図面を参照しながら具体的に説明する。
【００１５】
（第１実施例）
図１と図２に示す本発明の第１実施例の加湿器は、供給された水１を貯留しながらヒータ（発熱体）２により加熱し、これにより発生する蒸気を蒸気通路３を通じて外部に発散させる蒸気発生容器４と、この蒸気発生容器４と補給通路５により連絡されると共に、給水タンク６の給水口７が蒸気発生容器４での設定水位８とほぼ同じ高さまで上方から臨むように装着される補給水容器９とを備えている。
【００１６】
補給水容器９は給水タンク６から供給される水を、補給通路５を通じて蒸気発生容器４に補給水容器９内と同一水位になるまで自然流入させる。このとき補給水容器９では、給水口７が臨む高さ位置まで給水タンク６の水が流入すると、給水タンク６内が外部との連通を絶たれて空気の補給を受けられずそれ以上の水１が流出するのを阻止し、給水口７よりも水位が下がると給水タンク６内に外気が補給されるのでこれを吸入しながら水１を流出させる。
【００１７】
このようにして、補給水容器９から水を供給される蒸気発生容器４では、受入れた水１をヒータ２により加熱して蒸発させながら補給水容器９と同じ給水口７の高さとなる設定水位８を常時保ちつつ蒸気を発生させている。
【００１８】
補給水容器９と蒸気発生容器４は器体の胴部１０の途中高さ位置に形成された中段部１３に、シールパッキング１４を介して下方より当てがい、ねじ１５により複数箇所にて取付けられる。また胴部１０はその下部に、脚部１１ａが一体成形された底部材１１が嵌合されると共に、その上部には蓋カバー１２が着脱できるように嵌め付けられている。尚、図２に示すように、補給水容器９、蒸気発生容器４、補給通路５を胴部１０と一体成形することもでき、このことによれば水漏れを完全に防止でき、また水漏れ防止構造も不要となるので、構造を簡単にすることもできる。
【００１９】
蒸気発生容器４は樹脂やセラミック等で皿形に成形され、その中央部は上方に突出した凸部１６をなして、その周壁１６ａの周囲に筒状のヒータ２が耐熱性樹脂等で成形された支持体２１を介して着脱自在に配置される。このヒータ２の配置によって、蒸気発生容器４内でその内周側に位置する周壁１６ａとの間に、容量が小さく水１の対流が抑制される第１加熱部１７を形成し、外周側に位置する蒸気発生容器４の側周壁４ａとの間に容量の大きい第２加熱部１８が形成される。第１加熱部１７と第２加熱部１８とはヒータ２に設けられた連通孔１９によって一部連通しているが、それはヒータ２の高さを水位より低く設定することによっても行うことができる。
【００２０】
第１実施例ではヒータ２が水中にあって水１を直接に効率良く加熱できることは勿論、第１加熱部１７では容量が小さいことと対流が抑制されていることとにより、水１が急速に昇温されると共に、その早期加熱された高温水が第２加熱部１８に移行するのを抑制されるので、早期に蒸気を発生させることができる。一方、第２加熱部１８では容量が大きいことによりスケールの発生なくゆっくりと昇温させ、第１加熱部１７よりは遅れるが蒸気を大量に発生させることができる。しかもヒータ２が直立しているので、円盤状の発熱体のようにその裏面と蒸気発生容器４の底面との間でスケールが付着することもなく、また底面からの蒸気による水泡は制止されることなく真っ直ぐに水面に向かうので、蒸気の発生がスムーズに行われる。従って、スケールの発生を抑えながら早期加湿と十分な加湿を満足することができる。またスケールが付着してもヒータ２を取外して丸洗いしてスケールを除去できると共に、蒸気発生容器４の内面もヒータ２の邪魔なしに簡単に洗浄することにより不衛生な状態になるのを防止できる。更にヒータ２は設定水位８より上部が露出しているので、ヒータ２が水面に接するきわの特に気液境界部で水を特に急速に加熱することによっても加熱効率を良くしている。
【００２１】
また第１実施例のヒータ２は磁性材料等の電磁誘導発熱体であり、蒸気発生容器４の外部つまり第１実施例では凸部１６の周壁１６ａに面した側にヒータ２に対向する電磁誘導用のワークコイル２０が、凸部１６の中央裏面へのネジ２３によるコイル台２２の取付けによって配置されている。このコイル台２２の内部空間にはフェライトコア２８等を収納することもでき、その収納分だけ下方空間のコンパクト化を図ることができる。尚、ヒータ２は通電によるものでもよく、その場合には着脱部位である支持体２１を絶縁構造にする必要がある。第１実施例のような電磁誘導タイプは底面構造がシンプルなので支持体２１と共にヒータ２を取外しての洗浄が容易であり、定期的に洗浄できる。
【００２２】
給水タンク６は下方中央の開口６ｂに、開口６ｂを受止める給水キャップ６ａが取付けられ、給水キャップ６ａ内には閉弁方向に付勢される開閉弁３５が設けられている。一方、補給水容器９には開閉弁３５に対応する位置に突起９ａが設けられており、給水タンク６のセット時には、開閉弁３５が突起９ａによって押し上げられて開弁状態となる。
【００２３】
蒸気通路３は、蒸気発生容器４の上端開口に対して着脱自在に支持された蒸気導出筒３ａと、蓋カバー１２の一部に形成された開口部１２ａに嵌め入れられ、蒸気を外部に分散させて発散させる蒸気孔２５を持った蒸気放出口部材３ｂとから構成される。蒸気導出筒３ａはその途中に外気導入口３ｃが設けられ、蒸気発生容器４にて発生する蒸気が蒸気通路３を自然上昇するときの負圧によって外気を吸引し導入するようにしている。このことにより、蒸気孔２５から器体外部へ発散させる蒸気の温度が、人やその他に悪影響しない程度に低くなるように空冷できる。
【００２４】
また、蒸気放出口部材３ｂを受止めるように蒸気導出筒３ａの上方開口部には受止め部２４が形成されており、この受止め部２４には蒸気の抜けを邪魔しない位置にアロマ入れ２４ａが一体成形され、ここにアロマ液を含浸させたアロマスティック２６を入れておくと、蒸気はアロマ成分を含んだ状態で周りに発散するので、快適な、あるいは薬効のある雰囲気を創り出すことができる。また、受止め部２４の口部２４ｂにはアロマ液を入れる皿状のアロマ容器２７が取付けられ、蒸気発生容器４から発散される蒸気でアロマ液を加熱してアロマ成分を発散するので、前記アロマスティック２６によるものと同様の雰囲気を創出することができる。このように、アロマスティック２６やアロマ容器２７のアロマ液の何れかを選択あるいは両方を混合することによって、アロマテラピーが容易に実現できる。
【００２５】
蒸気発生容器４内の水位は、通常は補給水容器９内に配置した図示しないフロート弁によって空炊き防止位置である下限水位まで下降したときにこれを検知し、この検知によるオン・オフ信号によって通電停止等を行い、使用の安全を図っている。このフロートＳＷの異常の場合に備えて従来ではサーモスタットを蒸気発生容器４に固定して空炊き防止を図っているが、水中ヒータの場合ではサーモスタットによる検知は困難である。そこで第１実施例では温度センサ（サーミスタ）２９を用いてその検知を代用している。
【００２６】
温度センサ２９は蒸気発生容器４の一部を内側に突出させた裏面に、検知部２９ａが設定水位８より下で前記下限水位より上になるように固定され、蒸気発生容器４内の水温を検知している。この温度センサ２９によれば、フロートＳＷが正常である場合には、フロートＳＷがＯＮであれば水温の上昇に伴い、温度センサ２９の検知温度も徐々に上昇してある温度にて安定する。そしてフロートＳＷがＯＦＦになれば水温は徐々に下降し、それに伴い温度センサ２９も徐々に下降する。一方、フロートＳＷが異常である場合には、フロートＳＷが作動しないために蒸気発生容器４内の水１が下がり、温度センサ２９が水中より露出し検知温度が徐々に下降する。その際、フロートＳＷが正常な場合に比べると温度センサ２９の検知温度の下降度合が異なり（フロートＳＷが正常であれば下限水位にて電源がオフされるので温度センサ２９の検知温度は急激に下降する。）、その下降に要する時間等によって、空炊き水位であることを検知できる。
【００２７】
（第２実施例）
図３と図４に示す本発明の第２実施例の加湿器について説明する。第２実施例の全体構成は蒸気発生容器４近傍や蒸気通路３内の構造以外は第１実施例のものとほぼ同様であり、同様の部分については同符号を付す。
【００２８】
この加湿器は、供給された水１を貯留しながらヒータ２により加熱し、これにより発生する蒸気を蒸気通路３を通じて外部に発散させる蒸気発生容器４と、この蒸気発生容器４と補給通路５により連絡されると共に、給水タンク６の給水口７が蒸気発生容器４での設定水位８とほぼ同じ高さまで上方から臨むように装着される補給水容器９とを備えている。
【００２９】
補給水容器９から水を供給される蒸気発生容器４では、受入れた水１をヒータ２により加熱して蒸発させながら、補給水容器９と同じ給水口７の高さとなる設定水位８を常時保ちつつ蒸気を発生させている。
【００３０】
蒸気発生容器４は樹脂やセラミック等で皿形に成形され、その中央部は上方に後記蒸気導出筒３ａよりやや低い高さまで突出した凸部３０をなして、その周壁３０ａの周囲に耐熱性樹脂等で成形された支持体２１を介してヒータ２を着脱自在に配置している。このヒータ２の配置によって、蒸気発生容器４内でその内周側に位置する周壁３０ａとの間に、容量が小さく水１の対流が抑制される第１加熱部１７を形成し、外周側に位置する蒸気発生容器４の側周壁４ａとの間に容量の大きい第２加熱部１８が形成される。この第１加熱部１７による早期加湿と、直立したヒータ２による蒸気のスムーズな発生による加湿促進等の効果、またヒータ２を取外しての定期的洗浄による蒸気発生容器４底面へのスケールの付着防止効果は第１実施例と同様である。
【００３１】
また第２実施例においても、ヒータ２を設定水位８より上部を露出させて配置することにより、ヒータ２が水面に接するきわの特に気液境界部で水を特に急速加熱して加熱効率を良くしているが、第２実施例では、ヒータ２の第２加熱部１８に面した外周側に、蒸気発生容器４内の水１を吸水する吸水材３１を密着して配置しているので、ヒータ２の露出部分の過熱を防止すると共に、その露出部分にスケールが付着するのを抑制し、また吸水材３１が吸水した水からも蒸気を発生させることでより加湿を促進することができる。
【００３２】
第１加熱部１７と第２加熱部１８とはヒータ２と吸水材３１に設けられた連通孔１９によって一部連通しているが、それはヒータ２と吸水材３１の高さを設定水位８より低く設定することによっても行うことができる。
【００３３】
第２実施例のヒータ２も磁性材料等の電磁誘導発熱体であり、蒸気発生容器４の外側つまり第２実施例では凸部３０の周壁３０ａに面した内周側にヒータ２に対向する電磁誘導用のワークコイル２０が、コイル台２２を介して配置されている。このコイル台２２の内部空間からその上方の凸部３０の内部空間には、発生した蒸気の外部への放出路つまり凸部３０の周りの蒸気通路３や外気を導く外気導入路３４が形成される。第２実施例では外気導入路３４を蒸気通路３の内周側に形成しているので、蒸気通路３の周囲に外気を導入するための空間が不要となるので、その空間を給水タンク６容量として使用できるので、器体のコンパクト化を図ることができる。また外気導入路３４の下方に、発熱素子冷却用のファンを共用する外気導入ファン３２を配置している。
【００３４】
尚、ヒータ２は通電によるものでもよく、その場合には着脱部位である支持体２１を絶縁構造にする必要がある。電磁誘導タイプの発熱体は底面構造がシンプルなのでヒータ２および吸水材３１を取外しての洗浄が容易である。
【００３５】
給水タンク６は下方中央の開口６ｂに、開口６ｂを受止める給水キャップ６ａが取付けられ、給水キャップ６ａ内には閉弁方向に付勢される開閉弁３５が設けられている。一方、補給水容器９には開閉弁３５に対応する位置に突起９ａが設けられており、給水タンク６のセット時には、開閉弁３５が突起９ａによって押し上げられて開弁状態となる。
【００３６】
蒸気通路３は、蒸気発生容器４の上端開口に対して着脱自在に支持された蒸気導出筒３ａと、蓋カバー１２の一部に形成された開口部１２ａに嵌め入れられ、蒸気を外部に分散させて発散させる蒸気孔２５を持った蒸気放出口部材３ｂとから構成される。蒸気導出筒３ａは器体に設けられた導入孔等（図示せず）を通じて、外気導入ファン３２により外気を吸引し導入し、その外気が蒸気発生容器４にて発生して自然上昇する蒸気と混じり合うので、蒸気孔２５から器体外部へ発散させる蒸気の温度が、人やその他に悪影響しない程度に低くなるように空冷できる。
【００３７】
また、蒸気放出口部材３ｂを受止めるように蒸気導出筒３ａの上方開口部には受止め部２４が形成されており、この受止め部２４の口部２４ｂにはアロマ液を入れる皿状のアロマ容器２７が取付けられ、蒸気発生容器４から発散される蒸気でアロマ液を加熱してアロマ成分を発散するので、蒸気はアロマ成分を含んだ状態で周りに発散するので、快適な、あるいは薬効のある雰囲気を創り出すことができる。
【００３８】
補給水容器９の水中に配置されるフロート弁３３は、補給水容器９に一体成形したピン３３ａにドーナツ型のフロート３３ｂが水位に応じて上下できるように支持され、フロート３３ｂが蒸気発生容器４内で空炊き状態になる直前程度に設定した下限水位に対応した空炊き防止位置まで下降したときにこれを検知し、この検知によるオンまたはオフの動作ないしは信号によって、ヒータ２への通電停止等を行い、使用の安全を図っている。
【００３９】
（その他の実施例）
図５に示す第３実施例と図６に示す第４実施例について説明する。
【００４０】
ヒータ２は、蒸気発生容器４内を平面より見て、容量が小さく水の対流が抑制される第１加熱部１７と容量の大きい第２加熱部１８に仕切ると共に、一部連通させるものであれば第１、第２実施例に示したものに限定されない。例えば、図５に示す第３実施例のように、第１、第２実施例とは逆に、電磁誘導発熱体である筒状のヒータ２の外周側に位置する蒸気発生容器４の側周壁４ａとの間に第１加熱部１７を形成し、内周側に第２加熱部１８を形成している。そして蒸気発生容器４の外側つまりヒータ２との間に第１加熱部１７を形成している側周壁４ａ外に面した側に電磁誘導用のワークコイル２０を配置している。
【００４１】
また図６に示す第４実施例では、第１〜第３実施例とは異なる矩形板状のヒータ２によって蒸気発生容器４内を上記同様の第１加熱部１７と第２加熱部１８に仕切っており、ヒータ２の両側縁と蒸気発生容器４の側周壁４ａとの間で連通させている。
【００４２】
【発明の効果】
本発明の加湿器の主たる特徴によれば、蒸気発生容器内に貯留された水をその貯留域に配置された発熱体で効率良く直接加熱して効率良く昇温させ、発熱体表面のきわでは勿論、全体的にも蒸気を早期に発生させることができると共に、発熱体を蒸気発生容器から取外すことでスケールの付着し易い発熱体の表面でも発熱体を取外して丸洗いしてスケールを除去できると共に、蒸気発生容器の内面も発熱体の邪魔なしに簡単に洗浄できる。従って、早期加湿を満足した上で、溜まったスケールにより不衛生な状態になったり加熱効率が低下するのを防止することができる。
【００４３】
また第１加熱部では容量が小さいことと対流が抑制されていることとにより、水がより急速に昇温されると共に、その早期加熱された高温水が第２加熱部に移行するのを抑制されるので、早期に蒸気を発生させることができる。一方、第２加熱部では容量が大きいことによりスケールの発生なくゆっくりと昇温させ、第１加熱部よりは遅れるが蒸気を大量に発生させることができる。しかも、平面より見て各加熱部を仕切る構造上、発熱体は直立壁状に形成されるので、円盤状の発熱体のようにその裏面と蒸気発生容器の底面との間でスケールが付着することもなく、また底面からの蒸気による水泡は制止されることなく真っ直ぐに水面に向かうので、蒸気の発生がスムーズに行われる。従って、スケールの発生を抑えながら早期加湿と十分な加湿を満足することができる。
【００４４】
第１加熱部と第２加熱部とを仕切る発熱体を筒状にし、蒸気発生容器内でその内周側または外周側に位置する周壁との間に第１加熱部を形成し、他方の側に第２加熱部を形成すれば、上述したような容量の小さな第１加熱部と容量の大きい第２加熱部とを容易に実現できる。
【００４５】
周壁が蒸気発生容器の中央部を上方に突出させた凸部をなし、この凸部で、発生した蒸気の外部への放出路に外気を導く外気導入路を形成すると共に、その下方に発熱素子冷却用のファンを共用する外気導入ファンを配置すれば、凸部の内部空間を外気導入路として利用でき且つその部分にワークコイルやフェライトコア等を収納することもでき、その収納分あるいは発熱素子冷却用のファンを設置分、下部空間のコンパクト化を図ることができると共に、蒸気の放出路の周囲に外気を導入するための空間が不要になり、その空間を給水源容量として使用することにより器体のコンパクト化を図ることもできる。
【００４６】
発熱体を電磁誘導発熱体にし、蒸気発生容器の外部に発熱体に対向する電磁誘導用のワークコイルを配置すれば、通電タイプの発熱体のようにその着脱部位等を絶縁構造にする必要がないので、底面構造がシンプルで発熱体を取外しての洗浄がより容易になる。
【００４７】
発熱体を蒸気発生容器内の設定水位より上部が露出するように配置すれば、発熱体が水面に接するきわの特に気液境界部で水を特に急速に加熱してより加熱効率を良くし、また発熱体の第２加熱部に面した側に蒸気発生容器内の水を吸水する吸水材を密着して配置すれば、急速加熱させる発熱体の露出部分の過熱を防止すると共にその部分にスケールが付着するのを抑制し、また吸水材が吸水した水からも蒸気を発生させることでその分加湿が促進される。
【図面の簡単な説明】
【図１】本発明の第１実施例を示す加湿器の全体構成を示す縦断面図。
【図２】同実施例における蒸気発生容器まわりおよび胴部を一体化した変形例を示す要部拡大図。
【図３】本発明の第２実施例を示す加湿器の全体構成を示す縦断面図。
【図４】同実施例における蒸気発生容器と蒸気通路部分を示す拡大図。
【図５】本発明の第３実施例の蒸気発生容器を示す横断面図。
【図６】本発明の第４実施例の蒸気発生容器を示す横断面図。
【符号の説明】
１  水
２  ヒータ（発熱体）
３  蒸気通路（蒸気の外部への放出路）
４  蒸気発生容器
８  設定水位
１６、３０  凸部
１７  第１加熱部
１８  第２加熱部
１９  連通孔
２０  ワークコイル
３１  吸水材
３２  外気導入ファン
３４    外気導入路
【図１】
0003546839.tif 000002
【図２】
0003546839.tif 000003
【図３】
0003546839.tif 000004
【図４】
0003546839.tif 000005
【図５】
0003546839.tif 000006
【図６】
0003546839.tif 000007